(57)【要約】  電気機械的スイッチ（１０２）は、第１の静止コンタクト（２０４）および第２の静止コンタクト（２０６）を含む。第１の静止コンタクト（２０４）および第２の静止コンタクト（２０６）は各々、それぞれの嵌合端を有する。電気機械的スイッチ（１０２）はまた、第１の接触区間（３３０）および第２の接触区間（３３２）を有する可動コンタクト（３００）を含む。第１の接触区間（３３０）および第２の接触区間（３３２）は、それぞれ第１の静止コンタクト（２０４）および第２の静止コンタクト（２０６）のそれぞれの嵌合端によって覆われるように動作可能な可動コンタクト（３００）の別個の領域である。第１の接触区間（３３０）および第２の接触区間（３３２）は各々、嵌合面（３３４）と、嵌合面（３３４）の少なくとも一部分を分割する対応する凹部（３３６）とを有する。それぞれの嵌合端は各々、対応する凹部（３３６）にわたって延び、対応する凹部（３３６）の両側で対応する嵌合面（３３４）に係合するように構成される。対応する凹部（３３６）は、可動コンタクト（３００）内へ部分的にのみ延びる深さ（３３８）を有する。【選択図】図３
2021522655.tif 000002
【特許請求の範囲】
【請求項１】
各々がそれぞれの嵌合端（２０５、２０７）を有する第１の静止コンタクト（２０４）および第２の静止コンタクト（２０６）と、
第１の接触区間（３３０）および第２の接触区間（３３２）を有する可動コンタクト（３００）とを備え、前記第１の接触区間（３３０）および前記第２の接触区間（３３２）は、それぞれ前記第１の静止コンタクト（２０４）および前記第２の静止コンタクト（２０６）のそれぞれの嵌合端によって覆われるように動作可能な前記可動コンタクト（３００）の別個の領域であり、前記第１の接触区間（３３０）および前記第２の接触区間（３３２）は各々、嵌合面（３３４）と、前記嵌合面（３３４）の少なくとも一部分を分割する対応する凹部（３３６）とを有し、前記それぞれの嵌合端は各々、前記対応する凹部（３３６）にわたって延び、前記対応する凹部（３３６）の両側で前記対応する嵌合面（３３４）に係合するように構成され、前記対応する凹部（３３６）は、前記可動コンタクト（３００）内へ部分的にのみ延びる深さ（３３８）を有する、
電気機械的スイッチ（１０２）。
【請求項２】
前記可動コンタクト（３００）は、反対の嵌合側（３０２）および取付け側（３０４）と、第１の接触端（３１２）および第２の接触端（３１４）とを含み、前記嵌合側（３０２）および前記取付け側（３０４）は各々、前記第１の接触端（３１２）と前記第２の接触端（３１４）との間に延び、前記嵌合側（３０２）は、前記第１の接触区間（３３０）および前記第２の接触区間（３３２）を含む、請求項１に記載の電気機械的スイッチ（１０２）。
【請求項３】
前記可動コンタクト（３００）は、前記嵌合側（３０２）より前記取付け側（３０４）の近くに質量中心（ＣＯＭ）（３０３）を有する、請求項２に記載の電気機械的スイッチ（１０２）。
【請求項４】
前記可動コンタクト（３００）は、前記ＣＯＭ（３０３）を通って前記第１の接触区間（３３０）と前記第２の接触区間（３３２）との間に延びる第１の平面（３６０）、および前記ＣＯＭ（３０３）を通って前記第１の接触端（３１２）と前記第２の接触端（３１４）との間に延びる第２の平面（３６２）に対して対称の形状である、請求項３に記載の電気機械的スイッチ（１０２）。
【請求項５】
前記取付け側（３０４）は、前記可動コンタクト（３００）が前記第１の接触端（３１２）から前記可動コンタクト（３００）の中心（３４２）の方へ延びるにつれて、前記嵌合側（３０２）から離れる方へ延び、前記可動コンタクト（３００）が前記第２の接触端（３１４）から前記可動コンタクト（３００）の前記中心（３４２）の方へ延びるにつれて、前記嵌合側（３０２）から離れる方へ延びている、請求項３に記載の電気機械的スイッチ（１０２）。
【請求項６】
前記可動コンタクト（３００）は、前記嵌合側（３０２）と前記取付け側（３０４）との間で測定された厚さ（３２４）を有し、前記可動コンタクト（３００）の前記厚さ（３２４）は、前記可動コンタクト（３００）の中心（３４２）でより大きい、請求項２に記載の電気機械的スイッチ（１０２）。
【請求項７】
前記可動コンタクト（３００）は、前記第１の接触端（３１２）と前記第２の接触端（３１４）との間および前記取付け側（３０４）と前記嵌合側（３０２）との間に延びる反対の広い面（３１６、３１８）をさらに備え、前記取付け側（３０４）は、前記可動コンタクト（３００）の質量を中心におくような形状である、請求項２に記載の電気機械的スイッチ（１０２）。
【請求項８】
前記嵌合側（３０２）は、１対の溝（４５０、４５２）と、前記溝（４５０、４５２）間に画定されたプラットホーム面（４５４）とを含み、前記プラットホーム面（４５４）は、前記第１の接触区間（３３０）および前記第２の接触区間（３３２）を含む、請求項２に記載の電気機械的スイッチ（１０２）。
【請求項９】
前記プラットホーム面（４５４）は、前記溝（４５０、４５２）間に画定されたプラットホーム幅を有し、前記プラットホーム幅は、前記それぞれの嵌合端に対して、前記それぞれの嵌合端が前記プラットホーム面（４５４）を通過して前記溝（４５０、４５２）のうちの少なくとも一方の上へ延びるようなサイズである、請求項８に記載の電気機械的スイッチ（１０２）。
【請求項１０】
前記プラットホーム面（４５４）は、前記嵌合側（３０２）にわたって前記第１の接触端（３１２）と前記第２の接触端（３１４）との間に連続して延びている、請求項８に記載の電気機械的スイッチ（１０２）。
【請求項１１】
前記対応する凹部（３３６）は、前記それぞれの嵌合端によって完全に覆われた唯一の凹部（３３６）である、請求項１に記載の電気機械的スイッチ（１０２）。
【請求項１２】
前記第１の接触区間（３３０）の前記対応する凹部（３３６）は、前記可動コンタクト（３００）の第１の接触端（３１２）へ開いており、前記第２の接触区間（３３２）の前記対応する凹部（３３６）は、前記可動コンタクト（３００）の第２の接触端（３１４）へ開いている、請求項１に記載の電気機械的スイッチ（１０２）。
【請求項１３】
電磁駆動ユニット（１０６）と、
前記電磁駆動ユニット（１０６）に動作可能に結合されたスイッチ（１０８）と、
第１の静止コンタクト（２０４）および第２の静止コンタクト（２０６）ならびに可動コンタクト（３００）を備えた電気機械的スイッチ（１０２）とを備え、前記第１の静止コンタクト（２０４）および前記第２の静止コンタクト（２０６）は各々、それぞれの嵌合端を有し、前記可動コンタクト（３００）は、第１の接触区間（３３０）および第２の接触区間（３３２）を有し、前記第１の接触区間（３３０）および前記第２の接触区間（３３２）は、それぞれ前記第１の静止コンタクト（２０４）および前記第２の静止コンタクト（２０６）の前記それぞれの嵌合端によって覆われるように動作可能な前記可動コンタクト（３００）の別個の領域であり、前記可動コンタクト（３００）は、反対の嵌合側（３０２）および取付け側（３０４）と、さらに第１の接触端（３１２）および第２の接触端（３１４）とを含み、
前記嵌合側（３０２）および前記取付け側（３０４）は各々、前記第１の接触端（３１２）と前記第２の接触端（３１４）の間に延び、前記嵌合側（３０２）は、前記第１の接触区間（３３０）および前記第２の接触区間（３３２）を含み、前記第１の接触区間（３３０）および前記第２の接触区間（３３２）は各々、対応する嵌合面（３３４）と、前記対応する嵌合面（３３４）の少なくとも一部分を分割する対応する凹部（３３６）とを有し、前記それぞれの嵌合端は各々、前記対応する凹部（３３６）にわたって延び、前記対応する凹部（３３６）の両側で前記対応する嵌合面（３３４）に係合するように構成され、前記対応する凹部（３３６）は、前記可動コンタクト（３００）内へ部分的にのみ延びる深さ（３３８）を有し、
前記スイッチは、前記可動コンタクト（３００）に動作可能に結合され、前記電磁駆動ユニット（１０６）は、前記スイッチを少なくとも２つの異なる位置間で動かし電源を接続および切断するように動作可能である、
電力回路（１００）。
【請求項１４】
前記可動コンタクト（３００）は、前記嵌合側（３０２）より前記取付け側（３０４）の近くに質量中心（ＣＯＭ）（３０３）を有する、請求項１３に記載の電力回路（１００）。
【請求項１５】
前記可動コンタクト（３００）は、前記ＣＯＭ（３０３）を通って前記第１の接触区間（３３０）と前記第２の接触区間（３３２）との間に延びる第１の平面（３６０）、および前記ＣＯＭ（３０３）を通って前記第１の接触端（３１２）と前記第２の接触端（３１４）との間に延びる第２の平面（３６２）に対して対称の形状である、請求項１４に記載の電力回路（１００）。
【請求項１６】
前記取付け側（３０４）は、前記可動コンタクト（３００）が前記第１の接触端（３１２）から前記可動コンタクト（３００）の中心（３４２）の方へ延びるにつれて、前記嵌合側（３０２）から離れる方へ延び、前記可動コンタクト（３００）が前記第２の接触端（３１４）から前記可動コンタクト（３００）の中心（３４２）の方へ延びるにつれて、前記嵌合側（３０２）から離れる方へ延びている、請求項１４に記載の電力回路（１００）。
【請求項１７】
前記可動コンタクト（３００）は、前記嵌合側（３０２）と前記取付け側（３０４）との間で測定された厚さ（３２４）を有し、前記可動コンタクト（３００）の前記厚さ（３２４）は、前記可動コンタクト（３００）の中心（３４２）でより大きい、請求項１３に記載の電力回路（１００）。
【請求項１８】
前記可動コンタクト（３００）は、前記第１の接触端（３１２）と前記第２の接触端（３１４）との間および前記取付け側（３０４）と前記嵌合側（３０２）との間に延びる反対の広い面（３１６、３１８）をさらに備え、前記取付け側（３０４）は、前記可動コンタクト（３００）の質量を中心におくような形状である、請求項１３に記載の電力回路（１００）。
【請求項１９】
前記嵌合側（３０２）は、１対の溝（４５０、４５２）と、前記溝（４５０、４５２）間に画定されたプラットホーム面（４５４）とを含み、前記プラットホーム面（４５４）は、前記第１の接触区間（３３０）および前記第２の接触区間（３３２）を含む、請求項１３に記載の電力回路（１００）。
【請求項２０】
前記プラットホーム面（４５４）は、前記溝（４５０、４５２）間に画定されたプラットホーム幅を有し、前記プラットホーム幅は、前記それぞれの嵌合端に対して、前記それぞれの嵌合端が前記プラットホーム面（４５４）を通過して前記溝（４５０、４５２）のうちの少なくとも一方の上へ延びるようなサイズである、請求項１９に記載の電力回路（１００）。
【発明の詳細な説明】
【技術分野】
【０００１】
本明細書の主題は、一般に、回路を通る電力の流れを制御する電気機械的スイッチ（たとえば、コンタクタまたはリレー）に関する。
【背景技術】
【０００２】
電気機械的スイッチは、電力の流れを選択的に制御することが望ましい複数の応用例で使用することができる。コンタクタまたはリレーなどの電気機械的スイッチは、可動コンタクトおよび複数の静止コンタクトを含むことができる。可動コンタクトは、静止コンタクトに係合または係合解除するように選択的に動かされる。可動コンタクトが静止コンタクトに係合されているとき、電力がコンタクトを通って流れることができる。
【０００３】
特定の応用例では、可動コンタクトと静止コンタクトとの間のインターフェースに沿って、可聴ノイズが生成される。たとえば、電気車両は、車両に電力供給するために、電気車両電池（ＥＶＢ）または主電池を使用する。そのような電池は、１つまたは複数のコンタクタを有する個々のセルを含むことができる。人が加速ペダルを踏むと、コンタクタの可動コンタクトは、静止コンタクトに係合するように動かされる。人が速くかつ／または深く加速ペダルを踏んで車両をより急速に加速すると、電流のサージが可動コンタクトおよび静止コンタクトを通って流れる。この電流のサージにより、可動コンタクトが発振し、可聴ノイズを生成することがある。可聴ノイズは、運転者にとって邪魔または不快になる可能性がある。可聴ノイズに加えて、コンタクト内で大量の熱エネルギーが生成される可能性があり、これには望ましくない影響がある。
【発明の概要】
【発明が解決しようとする課題】
【０００４】
したがって、解決すべき問題は、可動コンタクトおよび静止コンタクトが可聴ノイズを低減させ、任意選択で、コンタクト内で生成される熱エネルギーの量を低減させる電気機械的スイッチを提供することである。
【課題を解決するための手段】
【０００５】
少なくとも１つの実施形態では、この問題は、第１および第２の静止コンタクトを含む電気機械的スイッチによって解決される。第１および第２の静止コンタクトは各々、それぞれの嵌合端を有する。電気機械的スイッチはまた、第１および第２の接触区間を有する可動コンタクトを含む。第１および第２の接触区間は、それぞれ第１および第２の静止コンタクトのそれぞれの嵌合端によって覆われるように動作可能な可動コンタクトの別個の領域である。第１および第２の接触区間は各々、嵌合面と、嵌合面の少なくとも一部分を分割する対応する凹部とを有する。それぞれの嵌合端は各々、対応する凹部にわたって延び、対応する凹部の両側で対応する嵌合面に係合するように構成される。対応する凹部は、可動コンタクト内へ部分的にのみ延びる深さを有する。
【０００６】
いくつかの態様では、可動コンタクトは、反対の嵌合側および取付け側ならびに第１および第２の接触端を含み、嵌合側および取付け側は各々、第１の接触端と第２の接触端との間に延びる。嵌合側は、第１および第２の接触区間を含む。任意選択で、可動コンタクトは、嵌合側より取付け側の近くに質量中心（ＣＯＭ）を有する。
【０００７】
本発明について、添付の図面を参照して例として次に説明する。
【図面の簡単な説明】
【０００８】
【図１】電気機械的スイッチを含む一実施形態によって形成された電力回路の側面図である。
【図２】図１の電力回路とともに使用することができる一実施形態によって形成された電気機械的スイッチの一部分の斜視図である。
【図３】図２の電気機械的スイッチの断面図である。
【図４】図２の電気機械的スイッチとともに使用することができる可動コンタクトの分離斜視図である。
【図５】図２の電気機械的スイッチとともに使用することができる可動コンタクトの側面図である。
【図６】図２の電気機械的スイッチとともに使用することができる可動コンタクトの上面図である。
【図７】図２の電気機械的スイッチとともに使用することができる可動コンタクトの端面図である。
【図８】接触区間をより詳細に示す可動コンタクトの一部分の拡大図である。
【図９】図１の電気機械的スイッチとともに使用することができる可動コンタクトの分離斜視図である。
【図１０】図９の可動コンタクトの上面図である。
【図１１】図９の可動コンタクトの端面図である。
【発明を実施するための形態】
【０００９】
図１は、電気機械的スイッチ１０２を含む一実施形態によって形成された電力回路１００の側面図である。電気機械的スイッチ１０２は、ヨーク１０４、電磁駆動ユニット１０６、および回路スイッチ１０８を含むことができる。図示しないが、ヨーク１０４は、細長い棒とすることができ、細長い棒の端部１１２、１１４は、端部１１２と端部１１４との間にスイッチ受取り空間１１０を提供するように巻かれている。電磁駆動ユニット１０６は、スイッチ受取り空間１１０に対向する位置でヨーク１０４に巻き付けられたコイル１１６の形態である。回路スイッチ１０８は、スイッチ受取り空間１１０内に配置されており、たとえば回転軸１２０の周りで回転可能な回転電機子とすることができる。
【００１０】
電気機械的スイッチ１０２はまた、回路スイッチ１０８および可動コンタクト１３２を機械的に相互接続する連結アセンブリ１０５を含む。連結アセンブリ１０５は、１つまたは複数のロッド１２２と、１つまたは複数のロッド１２２に接続されたヒンジ１２４とを含む。ヒンジ１２４は、回転軸１２０に平行とすることができるヒンジ軸の周りを回転するように動作可能である。図示のように、電気機械的スイッチ１０２はまた、コンタクトキャリア１３０、可動コンタクト１３２、および１対の静止コンタクト１３４、１３６を含む。コンタクトキャリア１３０は、１つまたは複数の支持部分１４０を有する。
【００１１】
電気機械的スイッチ１０２は開位置に示されており、可動コンタクト１３２は静止コンタクト１３４、１３６に係合されておらず、したがって電気的接続は確立されていない。電力回路１００はまた、電源１４２および電気サブアセンブリ１４４を含む。電源１４２は、電気車両のための電池とすることができる。図１で、電源１４２は、電気サブアセンブリ１４４から切断されている。電気スイッチ１４６が、機械的回路切断および／または電気的回路切断を提供することができる。回路スイッチ１０８は、２つの異なる位置または状態間を動くように起動することができる。係合解除位置と呼ぶことができる一方の位置では、可動コンタクト１３２は静止コンタクト１３４、１３６に係合されない。
嵌合位置と呼ぶことができる他方の位置では、可動コンタクト１３２は、静止コンタクト１３４、１３６の各々に係合し、したがって電力が電気機械的スイッチ１０２を通って流れることができる。これらの位置間を動くために、電磁駆動ユニット１０６は、コイル１１６によって通電または遮断することができる。たとえば、通電されたとき、連結アセンブリ１０５は、可動コンタクト１３２を静止コンタクト１３４、１３６の方へ駆動することができる。遮断されたとき、連結アセンブリ１０５は、可動コンタクト１３２を静止コンタクト１３４、１３６から離れる方へ駆動することができる。
【００１２】
図２および図３は、一実施形態によって形成された電気機械的スイッチ２００の一部分の斜視図および断面図である。電気機械的スイッチ２００は、図１の電気機械的スイッチ１０２に取って代わり、電力回路１００（図１）の一部分を形成することができる。図示のように、電気機械的スイッチ２００は、可動コンタクト２０２と、第１の静止コンタクト２０４および第２の静止コンタクト２０６とを含む。任意選択で、電気機械的スイッチ２００は、１つまたは複数の追加の可動コンタクトを含むことができる。任意選択で、電気機械的スイッチ２００は、１つまたは複数の追加の静止コンタクトを含むことができる。
【００１３】
第１の静止コンタクト２０４および第２の静止コンタクト２０６は、それぞれの嵌合端２０５、２０７を有する。可動コンタクトは、第１の接触区間２１５および第２の接触区間２１７を有する。第１の接触区間２１５および第２の接触区間２１７は、可動コンタクト２０２ならびに第１の静止コンタクト２０４および第２の静止コンタクト２０６が係合されたときにそれぞれ嵌合端２０５、２０７によって覆われるように構成された可動コンタクト２０２の別個の領域である。可動コンタクト２０２は、可動コンタクト３００（図４）に類似または同一とすることができる。本明細書に記載するように、第１の接触区間２１５および第２の接触区間２１７は各々、嵌合面と、嵌合面の少なくとも一部分を分割する対応する凹部とを有する。嵌合端２０５、２０７は各々、対応する凹部にわたって延び、対応する凹部の両側で対応する嵌合面に係合するように構成される。
いくつかの実施形態では、嵌合端２０５、２０７の一方または両方が、対応する凹部の全体にわたって延び、対応する凹部の両側で対応する嵌合面に係合することができる。
【００１４】
図２および図３にさらに示すように、電気機械的スイッチ２００は、可動コンタクト２０２に結合された支持ロッド２１０を含む。支持ロッド２１０は、回路スイッチ１０８（図１）などの回路スイッチ（図示せず）に動作可能に結合された連結アセンブリ１０５（図１）などの連結アセンブリの一部分を形成することができる。
【００１５】
電気機械的スイッチ２００は、コンタクトキャリア２１１を含む。コンタクトキャリア２１１は１対の支持部分２１３を含み、１対の支持部分２１３は、支持部分２１３間に接触空間２２２を画定するように隔置される。コンタクトキャリア２１１はまた、１つまたは複数の位置合わせ突起２２４を含む。位置合わせ突起２２４は、たとえば、可動コンタクト２０２が支持ロッド２１０の周りを回転した場合に可動コンタクト２０２に係合するリブとすることができる。
【００１６】
図３に関して、支持ロッド２１０は、静止コンタクト２０４、２０６に向かう方および静止コンタクト２０４、２０６から離れる方へ軸２１２に沿って２方向に動くように動作可能である。軸２１２は、支持ロッド２１０の長さに沿って支持ロッド２１０の中心を通って延びる。より具体的には、支持ロッド２１０が嵌合方向２１４に動くと、可動コンタクト２０２は嵌合端２０５、２０７に係合し、それによって電力が可動コンタクト２０２を通って流れることを可能にする。支持ロッド２１０が嵌合方向２１４とは反対の切断方向２１６に動くと、可動コンタクト２０２は嵌合端２０５、２０７から係合解除され、それによって電力を切断する。いくつかの実施形態では、１つまたは複数の付勢部材２１８（たとえば、ばね）を使用して、嵌合および／または切断動作を容易にすることができる。
【００１７】
図４〜図７は、電気機械的スイッチ２００（図２）とともに使用することができる可動コンタクト３００の異なる図を示す。図示の実施形態では、可動コンタクト３００は、複数の平坦な外面を有する略ブロック形である。しかし他の実施形態では、可動コンタクト３００は、異なる形状および／または平坦でない外面を有することができる。
【００１８】
図示のように、可動コンタクト３００は、相互に直交するＸ軸、Ｙ軸、およびＺ軸に関して方向付けられる。可動コンタクト３００は、嵌合側３０２および取付け側３０４を含む。嵌合側３０２は、静止コンタクト２０４、２０６（図２）などの静止コンタクトに係合および係合解除するように動作可能である。嵌合側３０２および取付け側３０４は、Ｚ軸に沿って概ね反対の方向を向いている。取付け側３０４は、支持ロッド２１０（図２）などの支持ロッドを受け取るように動作可能である。より具体的には、取付け側３０４は、支持ロッドを受け取る空洞３０８への開口３０６を含む。空洞３０８は、可動コンタクト３００を通って部分的にのみ延びることができ、または可動コンタクト３００の全体を通って延びることができる。空洞３０８が可動コンタクト３００の全体を通って延びる実施形態の場合、嵌合側３０２は開口３０７を含む。
【００１９】
嵌合側３０２は、第１の接触区間３３０および第２の接触区間３３２を有する。第１の接触区間３３０および第２の接触区間３３２は、対応する静止コンタクトの嵌合端によって覆われるように構成された可動コンタクト３００の別個の領域である。たとえば、第１の接触区間３３０は、嵌合端２０５（図２）と位置合わせされて嵌合端２０５に係合することができ、または嵌合端２０５から隔置することができる。第２の接触区間３３２は、嵌合端２０７（図２）と位置合わせされて嵌合端２０７に係合することができ、または嵌合端２０７から隔置することができる。
【００２０】
図４に示すように、第１の接触区間３３０および第２の接触区間３３２は各々、嵌合面３３４と、嵌合面３３４の少なくとも一部分を分割する対応する凹部３３６とを有する。特定の実施形態では、静止コンタクトの嵌合端は各々、対応する凹部３３６の全体にわたって延び、凹部３３６の両側で対応する嵌合面３３４に係合するように構成される。凹部３３６は、Ｚ軸に沿って可動コンタクト３００内へ部分的にのみ延びる深さ３３８（図５または図７）を有する。図示の実施形態では、凹部３３６は各々、対応する接触区間内の唯一の凹部である。しかし、接触区間が２つ以上の凹部（たとえば、２つまたは３つの凹部）を含むことができることも企図される。図示の実施形態では、第１の接触区間３３０の凹部３３６は、可動コンタクト３００の第１の接触端３１２へ開いており、第２の接触区間３３２の凹部３３６は、可動コンタクト３００の第２の接触端３１４へ開いている。
【００２１】
図５および図６に関して、第１の接触端３１２および第２の接触端３１４は、Ｙ軸に沿って概ね反対の方向を向いている。可動コンタクト３００はまた、長手方向の広い面３１６、３１８を含む。第１の接触端３１２および第２の接触端３１４は、Ｘ軸に沿って広い面３１６と広い面３１８との間に延びる。可動コンタクト３００の長さ３２０（図５に示す）は、第１の接触端３１２と第２の接触端３１４との間に延びる。長さ３２０は、Ｙ軸に沿って測定される。例として、長さ３２０は、２５〜４０ミリメートル（ｍｍ）、または特定の実施形態では３０〜３６ｍｍとすることができる。可動コンタクト３００の幅３２２（図６に示す）は、第１の広い面３１６と第２の広い面３１８との間に延びる。幅３２２は、Ｘ軸に沿って測定される。例として、幅３２２は、５〜２０ｍｍ、または特定の実施形態では８〜１４ｍｍとすることができる。
図示の実施形態では、可動コンタクト３００の全体にわたって、長さ３２０は本質的に均一であり、幅３２０は本質的に均一である。より具体的には、Ｙ軸に直交して切り取った可動コンタクト３００の一連の断面は、同じ幅３２２を有する。Ｘ軸に直交して切り取った可動コンタクト３００の一連の断面は、同じ長さ３２０を有する。
【００２２】
図５および図７に関して、厚さまたは高さ３２４は、嵌合側３０２と取付け側３０４との間に延びる。しかし、可動コンタクト３００の厚さ３２４は、均一ではなく変化している。厚さは、線形または非線形（たとえば、対数的、指数的、または段階的）に変動することができる。厚さ３２４は、可動コンタクト３００の中心３４２で大きくすることができる。中心３４２は、長さ３２０に沿った中間点、幅３２２に沿った中間点、および厚さ３２４に沿った中間点に対応する座標を有する。中心３４２は、空洞３０８内に位置する。図５に示すように、厚さ３２４は、可動コンタクト３００が第１の接触端３１２から中心３４２の方へ延びるにつれて増大し、可動コンタクト３００が第２の接触端３１４から中心３４２の方へ延びるにつれて増大する。図示の実施形態では、厚さ３２４は線形に増大している。しかし他の実施形態では、厚さ３２４は非線形に増大することができる。
【００２３】
嵌合側３０２、取付け側３０４、または両方は、可動コンタクトの質量を中心におくような形状とすることができる。より具体的には、嵌合側３０２、取付け側３０４、または両方は、中心３４２または軸２１２（図３）のより近くで可動コンタクト３００の総質量の比率を増大させるような形状とすることができる。総質量のより多くが軸２１２または中心３４２により近い場合、可動コンタクト３００をより容易に制御または均衡化することができる。
【００２４】
可動コンタクト３００はまた、複数の平坦な外面３５１〜３５８を有することを特徴とすることができる。平坦な外面３５１は、嵌合側３０２に対応する。平坦な外面３５２、３５４は、それぞれ接触端３１２、３１４に対応する。平坦な外面３５３、３５５は、それぞれ反対の広い面３１６、３１８に対応する。
【００２５】
図５に関して、平坦な外面３５６〜３５８は、取付け側３０４を集合的に形成する。平坦な外面３５７は、開口３０６を含む。平坦な外面３５６、３５８は、平坦な外面３５７に対して直角でない角度に向けられている。しかし、他の実施形態は平坦でない外面を含むことができることを理解されたい。
【００２６】
平坦な外面３５６、３５８は、平坦な外面３５６、３５８が平坦な外面３５７の方へ延びるにつれて厚さ３２４が増大するように向けられる。より具体的には、可動コンタクト３００が第１の接触端３１２または第２の接触端３１４から中心３４２の方へ延びるにつれて、取付け側３０４は、Ｚ軸に沿った方向に嵌合側３０２から離れる方へ延びる。
【００２７】
特定の実施形態では、可動コンタクト３００は、軸２１２（図３）などの支持ロッドの軸と位置合わせされ、嵌合側３０２より取付け側３０４の近くに位置決めされた質量中心（ＣＯＭ）３０３を有するように構成することができる。図示の実施形態では、ＣＯＭ３０３は、中心３４２に重複する。代替実施形態では、ＣＯＭ３０３は、支持ロッドの軸と位置合わせし、取付け側３０４より嵌合側３０２の近くに位置決めすることができる。
【００２８】
厚さ３２４が中心３４２の方へより大きくなる実施形態の場合、可動コンタクト３００は、他の知られている可動コンタクトと比較すると、中心３４２の方へより多くの材料を有する。追加の材料は、動作中に生成される熱エネルギーをより多く吸収することができる。中心３４２の近傍で広い面３１６、３１８の表面積が大きければ大きいほど、より速い速度の熱放散も可能にすることができる。そのような実施形態では、第１の接触端３１２および第２の接触端３１４の近傍で放散される熱エネルギーの量を低減させることができ、それによって過度の熱により引き起こされうる周辺環境の損傷または摩耗を低減させることができる。たとえば、位置合わせ突起２２４（図２）が動作中に受ける熱をより少なくすることができる。
【００２９】
任意選択で、可動コンタクト３００は、対称の形状とすることができる。たとえば、図６に示すように、第１の平面３６０が、中心３４２を通ってＺ軸およびＹ軸に平行に延びる。第２の平面３６２が、中心３４２を通ってＺ軸およびＸ軸に平行に延びる。可動コンタクト３００は、第１の平面３６０および第２の平面３６２の各々に対して対称の形状である。より具体的には、可動コンタクト３００のうち第１の平面３６０の一方の側の部分は、可動コンタクト３００のうち第１の平面３６０の他方の側の部分に対して本質的に対称である。同様に、可動コンタクト３００のうち第２の平面３６２の一方の側の部分は、可動コンタクト３００のうち第２の平面３６２の他方の側の部分に対して本質的に対称である。
【００３０】
図８は、第２の接触区間３３２をより詳細に示す可動コンタクト３００の一部分の拡大図である。以下の説明は、第１の接触区間３３０にも該当することができる。破線３８０は、嵌合端が第２の接触区間３３２に係合したときの嵌合端の輪郭を表す。嵌合面３３４は、嵌合側３０２のうち静止コンタクトの嵌合端に係合する部分を含む。したがって、破線３８０は、嵌合面３３４の境界を表す。図示のように、破線３８０は、広い面３１６、３１８と交差する。より具体的には、嵌合端は、広い面３１６、３１８の各々を通過するような形状であり、したがって嵌合端は、広い面３１６、３１８の各々を越えて延びる。他の実施形態では、嵌合端は、広い面３１６および／または広い面３１８を通過しなくてもよい。
【００３１】
図示のように、凹部３３６は、嵌合面３３４の少なくとも一部分を分割する。凹部３３６は、可動コンタクト３００内へ部分的にのみ延びるへこみである。静止コンタクトの嵌合端は、凹部３３６の全体にわたって延び、凹部３３６の両側で対応する嵌合面３３４の係合するような構成（たとえば、接触区間に対するサイズおよび形状）である。より具体的には、嵌合端は、凹部３３６の両側に位置する第１の副区域３８２および第２の副区域３８４に係合することができる。任意選択で、嵌合端はまた、第３の副区域３８６に係合することができる。第３の副区域３８６は、嵌合面３３４のうち凹部３３６によって分割されない部分を表す。第３の副区域３８６は、境界３８０と凹部３３６の端部３８８との間に位置決めされる。
【００３２】
図９〜図１１は、電気機械的スイッチ２００（図２）とともに使用することができる可動コンタクト４００の異なる分離図を示す。可動コンタクト４００は、可動コンタクト３００（図４）の機構に類似または同一の機構を含むことができる。たとえば、可動コンタクト４００は、嵌合側４０２および取付け側４０４を含む。嵌合側４０２は、静止コンタクト２０４、２０６（図２）などの静止コンタクトに係合および係合解除するように構成される。嵌合側４０２および取付け側４０４は、概ね反対の方向を向いている。取付け側４０４は、支持ロッド２１０（図２）などの支持ロッドを受け取るように構成される。より具体的には、取付け側４０４は、支持ロッドを受け取る空洞４０８への開口（図示せず）を含む。空洞４０８は、図９および図１０に示すように、可動コンタクト４００を通って部分的にのみ延びることができ、または可動コンタクト４００の全体を通って延びることができる。
【００３３】
嵌合側４０２は、第１の接触区間４３０および第２の接触区間４３２を有する。第１の接触区間４３０および第２の接触区間４３２は、対応する静止コンタクトの嵌合端によって覆われるように構成された可動コンタクト４００の別個の領域である。図示のように、第１の接触区間４３０および第２の接触区間４３２は各々、嵌合面４３４と、嵌合面４３４の少なくとも一部分を分割する対応する凹部４３６とを有する。静止コンタクトの嵌合端は各々、対応する凹部４３６の全体にわたって延び、凹部４３６の両側で対応する嵌合面４３４に係合するように構成される。凹部４３６は、可動コンタクト４００内へ部分的にのみ延びる深さ４３８（図９または図１１）を有する。図示の実施形態では、凹部４３６は各々、対応する接触区間内の唯一の凹部である。しかし、接触区間が２つ以上の凹部（たとえば、２つまたは３つの凹部）を含むことができることも企図される。
【００３４】
さらに示すように、嵌合側４０２は、１対の溝４５０、４５２と、溝４５０、４５２間に画定されたプラットホーム面４５４とを含む。図示の実施形態では、プラットホーム面４５４は、嵌合側４０２にわたって第１の接触端４１２と第２の接触端４１４との間に連続して延びる。プラットホーム面４５４は、第１の接触区間４３０および第２の接触区間４３２を含む。プラットホーム面４５４は、溝４５０、４５２間に画定されたプラットホーム幅４５６を有する。プラットホーム幅４５６は、反対の広い面４１６と広い面４１８との間に画定された可動コンタクト４００の幅４５５より小さい。プラットホーム幅４５６は、それぞれの嵌合端に対して、それぞれの嵌合端がプラットホーム面４５４を通過して溝４５０、４５２のうちの少なくとも一方の上へ延びるようなサイズである。
【００３５】
可動コンタクト３００（図４）と同様に、可動コンタクト４００は、可動コンタクトの中心の方へより多くの材料を提供するように構成された均一でない厚さを有することができる。
【図１】
2021522655.tif 000003
【図２】
2021522655.tif 000004
【図３】
2021522655.tif 000005
【図４】
2021522655.tif 000006
【図５】
2021522655.tif 000007
【図６】
2021522655.tif 000008
【図７】
2021522655.tif 000009
【図８】
2021522655.tif 000010
【図９】
2021522655.tif 000011
【図１０】
2021522655.tif 000012
【図１１】
2021522655.tif 000013
【国際調査報告】
2021522655.tif 000014
2021522655.tif 000015